【手続補正書】
【提出日】平成27年2月5日(2015.2.5)
【手続補正１】
【補正対象書類名】明細書
【補正対象項目名】００２０
【補正方法】変更
【補正の内容】
【００２０】
従って、本発明の目的は、劣化画像の回復処理などの画像処理において当該画像処理に係る調整項目（パラメータ）の調整が行われた場合の応答性が良好な画像処理装置、その制御方法、および制御プログラムを提供することにある。
【手続補正２】
【補正対象書類名】明細書
【補正対象項目名】００２１
【補正方法】変更
【補正の内容】
【００２１】
上記の目的を達成するため、本発明による画像処理装置は、画像データを受け、当該画像データを画像処理して画像処理済みデータとして出力する画像処理装置であって、前記画像データを画像処理する際、当該画像処理で用いるデータおよび当該画像処理で生成した前記画像処理済みデータの少なくとも１つをキャッシュとしてメモリに格納する画像生成手段と、前記画像データを画像処理する際に用いられる少なくとも１つの調整項目を調整する調整手段と、前記調整手段によって前記調整項目が調整されると、前記メモリに格納されたキャッシュを再生成するか否かを判定する判定手段とを有し、前記画像生成手段は前記判定手段で再生成すると判定されたキャッシュに係る画像処理済みデータを再度生成することを特徴とする。
【手続補正３】
【補正対象書類名】明細書
【補正対象項目名】００２２
【補正方法】変更
【補正の内容】
【００２２】
本発明による制御方法は、画像データを受け、当該画像データを画像処理して画像処理済みデータとして出力する画像処理装置の制御方法であって、前記画像データを画像処理する際、当該画像処理で用いるデータおよび当該画像処理で生成した前記画像処理済みデータの少なくとも１つをキャッシュとしてメモリに格納する記録ステップと、前記画像データを画像処理する際に用いられる少なくとも１つの調整項目を調整する調整ステップと、前記調整ステップで前記調整項目が調整されると、前記メモリに格納されたキャッシュを再生成するか否かを判定する判定ステップと、前記判定ステップで再生成すると判定されたキャッシュに係る画像処理済みデータを再度生成する画像生成ステップとを有することを特徴とする。
【手続補正４】
【補正対象書類名】明細書
【補正対象項目名】００２３
【補正方法】変更
【補正の内容】
【００２３】
本発明による制御プログラムは、画像データを受け、当該画像データを画像処理して画像処理済みデータとして出力する画像処理装置で用いられる制御プログラムであって、前記画像処理装置が備えるコンピュータに、前記画像データを画像処理する際、当該画像処理で用いるデータおよび当該画像処理で生成した前記画像処理済みデータの少なくとも１つをキャッシュとしてメモリに格納する記録ステップと、前記画像データを画像処理する際に用いられる少なくとも１つの調整項目を調整する調整ステップと、前記調整ステップで前記調整項目が調整されると、前記メモリに格納されたキャッシュを再生成するか否かを判定する判定ステップと、前記判定ステップで再生成すると判定されたキャッシュに係る画像処理済みデータを再度生成する画像生成ステップとを実行させることを特徴とする。
【手続補正５】
【補正対象書類名】特許請求の範囲
【補正対象項目名】全文
【補正方法】変更
【補正の内容】
【特許請求の範囲】
【請求項１】
画像データを受け、当該画像データを画像処理して画像処理済みデータとして出力する画像処理装置であって、
前記画像データを画像処理する際、当該画像処理で用いるデータおよび当該画像処理で生成した前記画像処理済みデータの少なくとも１つをキャッシュとしてメモリに格納する画像生成手段と、
前記画像データを画像処理する際に用いられる少なくとも１つの調整項目を調整する調整手段と、
前記調整手段によって前記調整項目が調整されると、前記メモリに格納されたキャッシュを再生成するか否かを判定する判定手段とを有し、
前記画像生成手段は前記判定手段で再生成すると判定されたキャッシュに係る画像処理済みデータを再度生成することを特徴とする画像処理装置。
【請求項２】
前記画像処理済みデータに応じた画像を画面に表示するとともに、当該画面に前記調整項目を表示する出力手段を有することを特徴とする請求項１に記載の画像処理装置。
【請求項３】
前記画像生成手段は、前記画像処理で用いるデータを前記キャッシュとして前記メモリに格納しており、
前記画像処理で用いるデータは、撮像によって前記画像データを得る際に用いられたレンズに係るレンズ収差補正データであることを特徴とする請求項１又は２に記載の画像処理装置。
【請求項４】
前記判定手段は、前記調整手段によって前記調整項目の一つである撮影距離が調整されると、前記キャッシュとして前記メモリに格納された前記レンズ収差補正データを再生成すると判定することを特徴とする請求項３に記載の画像処理装置。
【請求項５】
前記画像生成手段は、前記画像処理で用いるデータを前記キャッシュとして前記メモリに格納しており、
前記画像処理で用いるデータは、撮像によって前記画像データを得る際に用いられたレンズに係る光学伝達関数に応じて求められた画像回復フィルタであることを特徴とする請求項１又は２に記載の画像処理装置。
【請求項６】
前記画像回復フィルタは、前記光学伝達関数もしくは前記光学伝達関数の近似式に係る係数に基づくデータに対して、逆フーリエ変換を行うことで求められることを特徴とする請求項５に記載の画像処理装置。
【請求項７】
前記画像回復フィルタは、前記光学伝達関数もしくは前記光学伝達関数の近似式に係る係数および画像回復処理の強さを示すゲインに基づくデータに対して、逆フーリエ変換を行うことで求められ、
前記判定手段は、前記調整手段によって前記調整項目の一つである前記ゲインが調整されると、前記キャッシュとして前記メモリに格納された前記画像回復フィルタを再生成すると判定することを特徴とする請求項５に記載の画像処理装置。
【請求項８】
前記画像回復フィルタは、前記光学伝達関数もしくは前記光学伝達関数の近似式に係る係数、および前記調整項目の一つである撮影距離に基づくデータに対して、逆フーリエ変換を行うことで求められ、
前記判定手段は、前記調整手段によって前記撮影距離が調整されると、前記キャッシュとして前記メモリに格納された前記画像回復フィルタを再生成すると判定することを特徴とする請求項５に記載の画像処理装置。
【請求項９】
前記判定手段は前記メモリに格納されたキャッシュを再生成すると判定すると、当該再生成する判定したキャッシュを破棄すると判定することを特徴とする請求項１〜８のいずれか１項に記載の画像処理装置。
【請求項１０】
前記判定手段は前記メモリの容量を監視して、前記メモリの残容量が予め定められた容量に低下すると、前記調整項目の調整に拘わらず、予め設定された順に前記キャッシュを破棄すると判定することを特徴とする請求項１〜８のいずれか１項に記載の画像処理装置。
【請求項１１】
前記判定手段によって破棄すると判定されたキャッシュを外部メモリに退避する退避手段を有することを特徴とする請求項９又は１０に記載の画像処理装置。
【請求項１２】
前記画像データは撮像装置による撮像の結果得られた画像データであることを特徴とする請求項１〜１１のいずれか１項に記載の画像処理装置。
【請求項１３】
画像データを受け、当該画像データを画像処理して画像処理済みデータとして出力する画像処理装置の制御方法であって、
前記画像データを画像処理する際、当該画像処理で用いるデータおよび当該画像処理で生成した前記画像処理済みデータの少なくとも１つをキャッシュとしてメモリに格納する記録ステップと、
前記画像データを画像処理する際に用いられる少なくとも１つの調整項目を調整する調整ステップと、
前記調整ステップで前記調整項目が調整されると、前記メモリに格納されたキャッシュを再生成するか否かを判定する判定ステップと、
前記判定ステップで再生成すると判定されたキャッシュに係る画像処理済みデータを再度生成する画像生成ステップとを有することを特徴とする制御方法。
【請求項１４】
画像データを受け、当該画像データを画像処理して画像処理済みデータとして出力する画像処理装置で用いられる制御プログラムであって、
前記画像処理装置が備えるコンピュータに、
前記画像データを画像処理する際、当該画像処理で用いるデータおよび当該画像処理で生成した前記画像処理済みデータの少なくとも１つをキャッシュとしてメモリに格納する記録ステップと、
前記画像データを画像処理する際に用いられる少なくとも１つの調整項目を調整する調整ステップと、
前記調整ステップで前記調整項目が調整されると、前記メモリに格納されたキャッシュを再生成するか否かを判定する判定ステップと、
前記判定ステップで再生成すると判定されたキャッシュに係る画像処理済みデータを再度生成する画像生成ステップとを実行させることを特徴とする制御プログラム。